(57)【要約】      （修正有）【課題】全体として屈曲しやすくなり、寝心地やすわり心地が良好で、長時間の使用に耐え得る耐久性に優れており、また通気性が良好なクッション類を提供する。【解決手段】表地１１に適宜の間隔をおいてひだ１２を取り、そのひだ１２の基部１２ａに沿って縫目１２ｂを設けるとともに、ひだ１２の先端近傍を裏地１３に対して縫い付け、他方裏地１３にも適宜の間隔をおいてひだ１４を取り、そのひだ１４の基部１４ａに沿って縫目１４ｂを設けるとともに、ひだ１４の先端１２ｃ近傍を表地１１のひだ１２とひだ１２との間に縫い付け、これを繰返すことによって隔室１５を並列して設け、この隔室１５内に充填材料１６を詰め込んだことを特徴とするクッション類１０。【選択図】図１
0003190230.tif 000002
【実用新案登録請求の範囲】
【請求項１】
表地に適宜の間隔をおいてひだを取り、そのひだの基部に沿って縫目を設けるとともに、ひだの先端近傍を裏地に対して縫い付け、他方裏地にも適宜の間隔をおいてひだを取り、そのひだの基部に沿って縫目を設けるとともに、ひだの先端近傍を表地のひだとひだとの間に縫い付け、これを繰返すことによって隔室を並列して設け、この隔室内に充填材料を詰め込んだことを特徴とするクッション類。
【請求項２】
前記充填材料は、リング状にカールした薄片状の木材チップからなることを特徴とする請求項１記載のクッション類。
【請求項３】
前記クッション類は、乳幼児用寝具やマットレス、その他の用途に使用する寝具類や、自動車や車いすに使用するクッションを含むことを特徴とする請求項１または２記載のクッション類。
【考案の詳細な説明】
【技術分野】
【０００１】
この考案は、木材チップを充填するとともに、充填物が内部で移動して全体としての厚みにばらつきが生じたり、使用中に短時間で薄くなってしまうようなことのないクッション類に関するものである。
【背景技術】
【０００２】
従来、木材チップを充填したクッション類としては、特開平９−２９９１９３号公報（特許文献１参照）や特開平１０−３３３１５号公報（特許文献２参照）、特開平１１−２９０１８３号公報（特許文献３参照）のような、マットや敷物、枕などの本体が提案されている。
他方、充填材を小区画に区切ったこの種のクッション類としては、実開平６−２６６１２号公報（特許文献４参照）のように、中地の両側に表地、裏地を区画して縫い付け、その内部に羽毛等の素材を充填した羽毛布団や、実開昭５２−９５５０１号公報（特許文献５参照）のように、表生地に適当の間隔をおいてひだを取り、そのひだの基部に沿って縫い目を設け、ひだの先端近くを裏生地に対して縫着して細長い室を並列に設け、この室内に中綿等の材料を詰め込んだキルティング衣料が知られている。
【先行技術文献】
【特許文献】
【０００３】
【特許文献１】特開平９−２９９１９３号公報
【特許文献２】特開平１０−３３３１５号公報
【特許文献３】特開平１１−２９０１８３号公報
【特許文献４】実開平６−２６６１２号公報
【特許文献５】実開昭５２−９５５０１号公報
【考案の概要】
【考案が解決しようとする課題】
【０００４】
しかしながら、実開昭５２−９５５０１号公報（特許文献５参照）のようなキルティング衣料と似た構造はクッション類には採用された例が見られない。
この考案は、全体として屈曲しやすくなり、寝心地やすわり心地が良好で、長時間の使用に耐え得る耐久性に優れており、また通気性が良好なクッション類を提供することを目的とするものである。
【課題を解決するための手段】
【０００５】
すなわちこの考案のクッション類は、表地に適宜の間隔をおいてひだを取り、そのひだの基部に沿って縫目を設けるとともに、ひだの先端近傍を裏地に対して縫い付け、他方裏地にも適宜の間隔をおいてひだを取り、そのひだの基部に沿って縫目を設けるとともに、ひだの先端近傍を表地のひだとひだとの間に縫い付け、これを繰返すことによって隔室を並列して設け、この隔室内に充填材料を詰め込んだことを特徴とするものである。
【０００６】
この考案のクッション類において前記充填材料は、リング状にカールした薄片状の木材チップからなることをも特徴とするものである。
【０００７】
この考案のクッション類において前記クッション類は、乳幼児用寝具やマットレス、その他の用途に使用する寝具類や、自動車や車いすに使用するクッションを含むことをも特徴とするものである。
【考案の効果】
【０００８】
請求項１のクッション類は以上のように構成したので、表地や裏地に設けたひだが交互にクッション類本体の表地や裏地に配置されており、該ひだの部分の伸縮によってクッション類が全体として屈曲しやすくなり、寝心地やすわり心地が良好で、長時間の使用に耐え得る耐久性に優れたクッション類を提供することが可能となった。
【０００９】
請求項２のクッション類においては、並列して設けた隔室内にリング状にカールした薄片状の木材チップを充填したので、非常にクッション性に優れるとともに、通気性が良好なクッション類を提供することができる。
【００１０】
請求項３のクッション類においては、乳幼児用寝具やマットレス、その他の用途に使用する寝具類や、自動車や車いすに使用するクッションのように非常に幅広い用途に使用することが可能なクッション類を提供することができるようになった。
【図面の簡単な説明】
【００１１】
【図１】この考案のクッション類の１実施例を示し、（ａ）は隔室内に充填材料を詰め込んだ状態の概略断面図、（ｂ）は未充填の状態の概略断面図である。
【図２】この考案のクッション類の充填材料の１例としての木材チップを示す概略斜視図である。
【図３】各素材の経過時間における水分率の変化を示すグラフである。
【図４】この考案のクッション類を車いす用の凹み解消用のクッションに適用した例を示し、（ａ）は該概略平面図、（ｂ）は概略左側面図、（ｃ）は概略右側面図である。
【図５】車いすのハウジングにこの考案のクッション類をセットした状態の概略断面図である。
【考案を実施するための形態】
【００１２】
以下、図面に基いてこの考案のクッション類の実施の形態を詳細に説明する。
図１はこの考案のクッション類の１実施例を示し、（ａ）は隔室内に充填材料を詰め込んだ状態を、（ｂ）は未充填の状態を示している。
すなわちこの実施例におけるクッション類１０は、表地１１に適宜の間隔をおいてひだ１２を取り、そのひだ１２の基部１２ａに沿って縫目１２ｂを設けるとともに、ひだ１２の先端１２ｃを折り返した上、裏地１３に対して縫目１２ｄ位置で縫い付けている。
【００１３】
他方、裏地１３にも適宜の間隔をおいてひだ１４を取り、そのひだ１４の基部１４ａに沿って縫目１４ｂを設けるとともに、ひだ１４の先端１４ｃを折り返した上、表地１１のひだ１２とひだ１２とのほぼ中間に縫目１４ｄ位置で縫い付けている。
これを縦横に繰返すことによって隔室１５を並列して設け、この隔室１５内に充填材料１６が詰め込んである。
【００１４】
以上のように構成したクッション類１０によれば、表地１１や裏地１３に設けたひだ１２，１４が交互にクッション類本体の表地１１や裏地１３に配置されており、該ひだ１２，１４の部分の伸縮によってクッション類１０が全体として屈曲しやすくなり、寝心地やすわり心地が良好で、長時間の使用に耐え得る耐久性に優れたクッション類１０を提供することが可能となった。
【００１５】
この考案のクッション類において前記充填材料１６は、図２に示すようなリング状にカールした薄片状の木材チップ１６ａであることが望ましい。
このような木材チップ１６ａは、より詳細には木材をチップ状に加工した３．０〜１０．０ｍｍの横幅の木材チップ１６ａであり、当該木材チップ１６ａは半円から円形の範囲でほぼ左右対称の円弧状にカールしており、なおかつ当該カールの中央部分が約１．０〜２．５ｍｍの厚さを備えるとともに、前記カールの前後の端部に向かって薄肉化したものである。
そして、前記木材チップ１６ａは、横幅と円弧状のカールの直径との比が、１：０．５〜１が望ましい。
【００１６】
このようにして、並列して設けた隔室１５内にリング状にカールした薄片状の前記条件を満たす木材チップ１６ａを充填すると、非常にクッション性に優れるとともに、吸水性や撥水性、保温性および通気性が良好で、寝心地やすわり心地のよいクッション類を提供することができる。
ちなみに、従来から汎用されている発泡ウレタンやポリエステル綿においては、保温性や撥水性が良好な反面、吸水性に乏しいという問題があった。他方、綿は保温性や撥水性が良好な上、吸水性もあって寝心地がよいという利点があるが、スギやヒノキの木材チップにおいてはこの綿に比してより保温性や撥水性が良好な上、より吸水性があって非常に寝心地がよいという利点があることが判明した。
【００１７】
別途提出する品質試験報告書（１）に「ヒノキ、スギ、ソバ、綿」の吸水性（水分率）を、品質試験報告書（２）に「ポリエステル綿、発泡ウレタン」の吸水性（水分率）を、品質試験報告書（３）に「ヒノキ、スギ、ソバ、綿」の保温性を、品質試験報告書（４）に「ポリエステル綿、発泡ウレタン」の保温性をそれぞれ示す。
また、図３に各素材の経過時間における水分率の変化のグラフを示す。なお、ソバは殺菌のため絶対乾燥した試料を用いたため、無視すべきものと考える。
いずれも、「ヒノキ、スギ」の吸水性や保温性は非常に良好であることを示している。
【００１８】
また、別途提出する試験成績報告書（１）に「加水木材チップ（ヒノキ）」の消臭性試験結果を、試験成績報告書（２）に「加水木材チップ（スギ）」の消臭性試験結果を、試験成績報告書（３）に「ソバ殻」の消臭性試験結果を、試験成績報告書（４）に「綿」の消臭性試験結果を、試験成績報告書（５）に「発泡ウレタン」の消臭性試験結果を、試験成績報告書（６）に「ポリエステル綿」の消臭性試験結果を、消臭性試験方法に消臭性試験の実施方法についてそれぞれ示す。
いずれも、「ヒノキ、スギ」の消臭性が非常に良好であることを示している。
【００１９】
図４は、この考案のクッション類を車いす用の凹み解消用のクッションに適用した例を示し、（ａ）は該概略平面図、（ｂ）は概略左側面図、（ｃ）は概略右側面図である。
この実施例における凹み解消用のクッション２０は、表地２１や裏地２３に設けたひだ２２，２４が交互にクッション類本体の表地２１や裏地２３に配置されている。なお、表地２１は中央部分がやや高くしてあり、裏地２３は緩やかな凹状に形成してある。
そして、ひだ２２，２４の部分の伸縮によってクッション類２０が全体として屈曲しやすくなり、そのため寝心地やすわり心地が良好で、長時間の使用に耐え得る耐久性に優れた凹み解消用のクッション２０を提供することが可能となった。
なお、前記ひだ２２，２４は縫目（図示せず）の詳細は省略しているが、図１と同様の構造を備えていることはいうまでもない。
【００２０】
したがって、図５に示すように、車いすのハウジング３１の凹部３２内にこの実施例における凹み解消用のクッション２０をセットすると、使用前には表地２１の中央部分はやや高くなっているが、使用すると利用者の重さによって表地２１はほぼ平滑ないしやや窪んだ状態となって、車いす利用者にとって非常にすわり心地の良い形態となる。
【００２１】
この考案のクッション類においては、乳幼児用寝具やマットレス、その他の用途に使用する寝具類や、自動車や車いすに使用するクッションのように非常に幅広い用途に使用することができるクッション類を提供することができるようになった。
【産業上の利用可能性】
【００２２】
この考案は以上のように構成してあるので、乳幼児用寝具や大人のためのマットレスや枕、その他の用途に使用する寝具類や、家庭内や自動車、車いす等に使用するクッション以外の非常に幅広い用途に使用することが可能なクッション類である。
【符号の説明】
【００２３】
１０  クッション類
１１  表地
１２  ひだ
１２ａ  基部
１２ｂ  縫目
１２ｃ  ひだの先端
１２ｄ  縫目
１３  裏地
１４  ひだ
１４ａ  基部
１４ｂ  縫目
１４ｃ  ひだの先端
１４ｄ  縫目
１５  隔室
１６  充填材料
１６ａ  木材チップ
２０  凹み解消用のクッション
２１  表地
２２  ひだ
２３  裏地
２４  ひだ
３１  車いすのハウジング
３２  凹部
【図１】
0003190230.tif 000003
【図２】
0003190230.tif 000004
【図３】
0003190230.tif 000005
【図４】
0003190230.tif 000006
【図５】
0003190230.tif 000007
【手続補正書】
【提出日】平成26年2月19日(2014.2.19)
【手続補正１】
【補正対象書類名】図面
【補正対象項目名】図３
【補正方法】変更
【補正の内容】
【図３】
0003190230.tif 000008